(57)【要約】【課題】比較的簡易な構成で、ライブビュー画像の撮影を適切に行なうことができる撮像装置を提供すること。【解決手段】光学系による像を結像する焦点板１３１の像を観察可能とする観察光学系１３０と、前記観察光学系の光軸外に配置され、前記焦点板からの光束を受光して得られる受光信号に基づいて前記光束を測光するとともに、前記光学系による像を撮像する受光手段１３９と、を備えることを特徴とする撮像装置。【選択図】  図３
2011082872.tif 000002
【特許請求の範囲】
【請求項１】
光学系による像を結像する焦点板の像を観察可能とする観察光学系と、
前記観察光学系の光軸外に配置され、前記焦点板からの光束を受光して得られる受光信号に基づいて前記光束を測光するとともに、前記光学系による像を撮像する受光手段と、を備えることを特徴とする撮像装置。
【請求項２】
請求項１に記載の撮像装置において、
前記焦点板の拡散性を変化させる拡散性変更手段をさらに備えることを特徴とする撮像装置。
【請求項３】
請求項２に記載の撮像装置において、
前記焦点板は、高分子分散型液晶を備えることを特徴とする撮像装置。
【請求項４】
請求項２または３に記載の撮像装置において、
前記拡散性変更手段は、前記焦点板上の任意の位置と、前記受光手段に入射する光束を制限する絞りの絞り端とがなす角度のうち最も大きな角度に基づいて、前記焦点板の拡散性を決定することを特徴とする撮像装置。
【請求項５】
請求項１から４のいずれかに記載の撮像装置において、
前記受光手段は、前記光学系による像の撮像と、前記光束の測光とを、それぞれ異なるタイミングで行うことを特徴とする撮像装置。
【請求項６】
請求項１から４のいずれかに記載の撮像装置において、
前記受光手段は、前記光学系による像の撮像と、前記光束の測光とを、同時に行うことを特徴とする撮像装置。
【請求項７】
請求項１から６のいずれか１項に記載の撮像装置において、
前記光学系を通る光束に基づいて前記光学系の焦点調節状態を検出する焦点検出手段をさらに有し、
前記焦点検出手段は、前記受光手段による前記光学系による像の撮像を行いながら、焦点調節状態の検出を行うことを特徴とする撮像装置。
【請求項８】
請求項１から７のいずれか１項に記載の撮像装置において、
前記受光手段による前記光学系による像の撮像を行いながら、前記観察光学系による光学系の像の観察が可能であることを特徴とする撮像装置。
【発明の詳細な説明】
【技術分野】
【０００１】
本発明は、撮像装置に関するものである。
【背景技術】
【０００２】
従来より、デジタル一眼レフカメラにおいて、被写体像を撮像するための撮像素子とは異なる撮像素子を観察光学系中に配置して、ライブビュー画像を撮影する技術が知られている（特許文献１参照）。
【先行技術文献】
【特許文献】
【０００３】
【特許文献１】特開２００７−２２１２６８号公報
【発明の概要】
【発明が解決しようとする課題】
【０００４】
しかしながら、上記従来技術においては、観察光学系の光路を分岐して撮像素子に結像するようにするため、観察光学系の構成が複雑になるという問題があった。
【０００５】
本発明が解決しようとする課題は、比較的簡易な構成で、ライブビュー画像の撮影を行なうことができる撮像装置を提供することである。
【課題を解決するための手段】
【０００６】
本発明は、以下の解決手段によって上記課題を解決する。なお、本発明の実施形態を示す図面に対応する符号を付して説明するが、この符号は本発明の理解を容易にするためだけのものであって本発明を限定する趣旨ではない。
【０００７】
[１]本発明に係る撮像装置は、光学系による像を結像する焦点板（１３１）の像を観察可能とする観察光学系（１３０）と、前記観察光学系の光軸外に配置され、前記焦点板からの光束を受光して得られる受光信号に基づいて前記光束を測光するとともに、前記光学系による像を撮像する受光手段（１３９）と、を備えることを特徴とする。
【０００８】
[２]上記撮像装置に係る発明において、前記焦点板（１３１）の拡散性を変化させる拡散性変更手段（１３１ｂ）をさらに備えることを特徴とする。
【０００９】
[３]上記撮像装置に係る発明において、前記焦点板（１３１）は、高分子分散型液晶（１３１ｂ）を備えることを特徴とする。
【００１０】
[４]上記撮像装置に係る発明において、前記拡散性変更手段（１３１ｂ）は、前記焦点板（１３１）上の任意の位置と、前記受光手段（１３９）に入射する光束を制限する絞り（１３７）の絞り端とがなす角度のうち最も大きな角度に基づいて、前記焦点板の拡散性を決定することを特徴とする。
【００１１】
[５]上記撮像装置に係る発明において、前記受光手段（１３９）は、前記光学系による像の撮像と、前記光束の測光とを、それぞれ異なるタイミングで行うことを特徴とする。
【００１２】
[６]上記撮像装置に係る発明において、前記受光手段（１３９）は、前記光学系による像の撮像と、前記光束の測光とを、同時に行うことを特徴とする。
【００１３】
[７]上記撮像装置に係る発明において、前記光学系を通る光束に基づいて前記光学系の焦点調節状態を検出する焦点検出手段（１６１）をさらに有し、前記焦点検出手段は、前記受光手段（１３９）による前記光学系による像の撮像を行いながら、焦点調節状態の検出を行うことを特徴とする。
【００１４】
[８]上記撮像装置に係る発明において、前記受光手段（１３９）による前記光学系による像の撮像を行いながら、前記観察光学系（１３０）による光学系の像の観察が可能であることを特徴とする。
【発明の効果】
【００１５】
本発明によれば、比較的簡易な構成で、ライブビュー画像の撮影を適切に行なうことができる撮像装置を提供することができる。
【図面の簡単な説明】
【００１６】
【図１】図１は、本実施形態に係る一眼レフデジタルカメラ１を示すブロック図である。
【図２】図２は、ライブビュー非表示モードが選択されている場合における、ファインダー内撮像素子１３９に入射する光について説明するための図である。
【図３】図３は、ライブビュー表示モードが選択されている場合における、ファインダー内撮像素子１３９に入射する光について説明するための図である。
【図４】図４は、ライブビュー表示モードが選択されている場合における、拡散角度θ２について説明するための図である。
【発明を実施するための形態】
【００１７】
以下、本発明の実施形態を図面に基づいて説明する。
【００１８】
図１は、本発明の実施形態に係る一眼レフデジタルカメラ１を示すブロック図であり、本発明に係る撮像装置に関する構成以外の一眼レフデジタルカメラの一般的構成については、その図示と説明を一部省略する。
【００１９】
本実施形態の一眼レフデジタルカメラ１（以下、単にカメラ１という。）は、カメラボディ１００と、該カメラボディ１００に着脱自在に装着されるレンズ鏡筒２００とを有する。
【００２０】
レンズ鏡筒２００には、レンズ２１１，２１２，２１３、および絞り２２０を含む撮影光学系が内蔵されている。
【００２１】
レンズ２１２は、フォーカスレンズであり、フォーカスレンズ２１２は、レンズ鏡筒２００の光軸Ｌ１に沿って移動可能に設けられ、エンコーダ（不図示）によってその位置が検出されつつフォーカスレンズ駆動モータ２３０によってその位置が調節される。
【００２２】
このフォーカスレンズ２１２の光軸Ｌ１に沿う移動機構の具体的構成は特に限定されない。一例を挙げれば、レンズ鏡筒２００に固定された固定筒に回転可能に回転筒を挿入し、この回転筒の内周面にヘリコイド溝（螺旋溝）を形成するとともに、フォーカスレンズ２１２を固定するレンズ枠の端部をヘリコイド溝に嵌合させる。そして、フォーカスレンズ駆動モータ２３０によって回転筒を回転させることで、レンズ枠に固定されたフォーカスレンズ２１２が光軸Ｌ１に沿って直進移動することになる。なお、レンズ鏡筒２００にはフォーカスレンズ２１２以外のレンズ２１１，２１３が設けられているが、ここではフォーカスレンズ２１２を例に挙げて本実施形態を説明する。
【００２３】
上述したようにレンズ鏡筒２００に対して回転筒を回転させることによりレンズ枠に固定されたフォーカスレンズ２１２は光軸Ｌ１方向に直進移動するが、その駆動源としてのフォーカスレンズ駆動モータ２３０がレンズ鏡筒２００に設けられている。フォーカスレンズ駆動モータ２３０と回転筒とは、たとえば複数の歯車からなる変速機で連結され、フォーカスレンズ駆動モータ２３０の駆動軸を何れか一方向へ回転駆動すると所定のギヤ比で回転筒に伝達され、そして、回転筒が何れか一方向へ回転することで、レンズ枠に固定されたフォーカスレンズ２１２が光軸Ｌ１の何れかの方向へ直進移動することになる。なお、フォーカスレンズ駆動モータ２３０の駆動軸が逆方向に回転駆動すると、変速機を構成する複数の歯車も逆方向に回転し、フォーカスレンズ２１２は光軸Ｌ１の逆方向へ直進移動することになる。
【００２４】
フォーカスレンズ２１２は、上述した回転筒の回転によって至近端から無限端までの間を光軸Ｌ１方向に移動することができ、この移動はカメラボディ１００のレンズ駆動制御部１６５からレンズ制御部２５０を介して送出される指令によって制御される。
【００２５】
絞り２２０は、上記撮影光学系を通過して、カメラボディ１００に備えられた撮像素子１１０に至る光束の光量を制限するとともにボケ量を調整するために、光軸Ｌ１を中心にした開口径が調節可能に構成されている。絞り２２０による開口径の調節は、たとえば自動露出モードにおいて演算された適切な開口径が、カメラ制御部１７０からレンズ制御部２５０を介して送出され、これに基づいて、絞り駆動部２４０が駆動することにより行われる。また、カメラボディ１００に設けられた操作部１５０によるマニュアル操作により、設定された開口径がカメラ制御部１７０からレンズ制御部２５０に入力される。絞り２２０の開口径は図示しない絞り開口センサにより検出され、レンズ制御部２５０で現在の開口径が認識される。
【００２６】
一方、カメラボディ１００は、撮像素子１１０を備えている。撮像素子１１０は、カメラボディ１００の、被写体からの光束の光軸Ｌ１上であって、レンズ２１１，２１２，２１３を含む撮影光学系の予定焦点面となる位置に設けられ、その前面にシャッター１１１が設けられている。この撮像素子１１０は、複数の光電変換素子が二次元に配列されたものであって、二次元ＣＣＤイメージセンサ、ＭＯＳセンサまたはＣＩＤなどで構成することができる。この撮像素子１１０で光電変換された電気画像信号は、カメラ制御部１７０で画像処理されたのち図示しないメモリに保存される。なお、撮影画像を格納するメモリは内蔵型メモリやカード型メモリなどで構成することができる。
【００２７】
撮像素子１１０およびシャッター１１１の前面には、ミラー系１２０が設けられている。このミラー系１２０は、回転軸１２３を中心にして被写体の観察位置と撮影位置との間で所定角度だけ回転するハーフミラー１２１と、このハーフミラー１２１に軸支されてハーフミラー１２１の回動に合わせて回転する全反射ミラー１２２とを備える。図１においては、ミラー系１２０が被写体の観察位置にある状態を実線で示し、被写体の撮影位置にある状態を二点鎖線で示している。
【００２８】
また、カメラボディ１００には、自動合焦調節を行うための焦点検出モジュール１６１が設けられている。そして、オートフォーカスモードにおいては、同図に実線で示す位置にハーフミラー１２１と全反射ミラー１２２が位置するので、被写体からの光束は、フォーカスレンズ２１１を通ってハーフミラー１２１に導かれ、その一部は該ハーフミラー１２１を透過し、全反射ミラー１２２により光軸Ｌ４に沿ってＡＦモジュール１６１に入力する。そして、この焦点検出モジュール１６１にて、被写体光を用いた位相差検出方式による自動合焦制御が実行される。
【００２９】
ＡＦ−ＣＣＤ制御部１６２は、オートフォーカスモードにおいて、焦点検出モジュール１６１のラインセンサのゲインや蓄積時間を制御するもので、焦点検出位置として選択された焦点検出エリアに関する情報をカメラ制御部１７０から受け、この焦点検出エリアに相当する一対のラインセンサにて検出された一対の出力パターンを読み出し、デフォーカス演算部１６２へ出力する。
【００３０】
デフォーカス演算部１６３は、ＡＦ−ＣＣＤ制御部１６２から送られてきた一対の出力パターンから当該出力パターンのずれ量（デフォーカス量）を演算し、これをレンズ駆動量演算部１６４へ出力する。
【００３１】
レンズ駆動量演算部１６４は、デフォーカス演算部１６３から送られてきたデフォーカス量に基づいて、当該デフォーカス量をゼロにするためのレンズ駆動量を演算し、これをレンズ駆動制御部１６５へ出力する。
【００３２】
レンズ駆動制御部１６５は、レンズ駆動量演算部１６４から送られてきたレンズ駆動量を取り込みながら、レンズ駆動モータ２３０へ駆動指令を送出し、レンズ駆動量だけフォーカスレンズ２１１を移動させる。
【００３３】
一方、ハーフミラー１２１で反射された被写体光の一部は、撮像素子１１０と光学的に等価な面に配置された焦点板１３１に結像し、ペンタプリズム１３３と接眼レンズ１３４とを介して観察可能になっている。このとき、透過型液晶表示器１３２は、焦点板１３１上の被写体像に焦点検出エリアマークなどを重畳して表示するとともに、被写体像外のエリアにシャッター速度、絞り値、撮影枚数などの撮影に関する情報を表示する。これにより、撮影者は、撮影準備状態において、ファインダー１３５を通して被写体およびその背景ならびに撮影関連情報などを観察することができる。
【００３４】
また、接眼レンズ１３４の近傍には、三角プリズム１３６、絞り１３７、結像レンズ１３８およびファインダー内撮像素子１３９が設けられ、ハーフミラー１２１で反射された被写体光の一部が、焦点板１３１で拡散され、焦点板１３１により拡散された拡散光が、ペンタプリズム１３３に導かれ、ペンタプリズム１３３で折曲され、さらに三角プリズム１３６で上方に折曲されたのち、絞り１３７および結像レンズ１３８を介して、光軸Ｌ３に沿ってファインダー内撮像素子１３９に導かれる。なお、焦点板１３１は、図１に示すように、第１の拡散層１３１ａおよび第２の拡散層１３１ｂから構成されるものである。これら第１の拡散層１３１ａおよび第２の拡散層１３１ｂの具体的な構成については、後述する。
【００３５】
ファインダー内撮像素子１３９は、二次元カラーＣＣＤイメージセンサ、ＭＯＳセンサまたはＣＩＤなどで構成され、撮影画像の露出値を演算する際の被写体輝度値等の光量を検出するとともに、本例のライブビュー表示のための画像情報を取得する。ファインダー内撮像素子１３９で検出された画像情報は後述するカメラ制御部１７０へ出力され、自動露出制御およびライブビュー表示制御に用いられる。
【００３６】
なお、本実施形態では、これら焦点板１３１、透過型液晶表示器１３２、ペンタプリズム１３３、接眼レンズ１３４、ファインダー１３５、三角プリズム１３６、絞り１３７、結像レンズ１３８およびファインダー内撮像素子１３９を、観察光学系１３０ともいう。
【００３７】
操作部１５０は、シャッターレリーズボタンや撮影者がカメラ１の各種動作モードを設定するための入力スイッチを備えており、連続撮影モードの選択や、自動露出モード／マニュアル露出モードの切換、さらには、オートフォーカスモード／マニュアルフォーカスモードの切換や、ライブビュー表示モード／ライブビュー非表示モードの切換が行なえるようになっている。
【００３８】
カメラボディ１００の背面には、液晶ディスプレイとその駆動回路などから構成される表示部１４０が設けられ、上述したファインダー内撮像素子１３９により撮像されたライブビュー画像の他、操作部１５０による入力画面なども表示される。
【００３９】
カメラボディ１００にはカメラ制御部１７０が設けられている。カメラ制御部１７０はマイクロプロセッサとメモリなどの周辺部品から構成され、レンズ制御部２５０と電気的に接続され、このレンズ制御部２５０から、レンズ鏡筒２００の焦点調節範囲の情報などを含むレンズ情報を受信するとともに、レンズ制御部２５０へデフォーカス量や絞り制御信号などの情報を送信する。また、カメラ制御部１７０は、上述したように撮像素子１１０から画像情報を読み出すとともに、必要に応じて所定の情報処理を施し、図示しないメモリに出力する。
【００４０】
さらに、カメラ制御部１７０は、ファインダー内撮像素子１３９から画像情報を読み出して、読み出した画像情報に基づいて自動露出制御を行うとともに、操作部１５０によりライブビュー表示モードが選択されている場合には、ファインダー内撮像素子１３９からの画像情報に、必要に応じて所定の情報処理を施し、表示部１４０に出力することで、表示部１４０にライブビュー画像を表示させる。また、カメラ制御部１７０は、これらに加えて、撮影画像情報の補正やレンズ鏡筒２００の焦点調節状態、絞り調節状態などを検出するなど、カメラ１全体の制御を司る。
【００４１】
次いで、本実施形態における、ファインダー内撮像素子１３９に入射する光、およびこれに基づいて、ファインダー内撮像素子１３９により取得される画像情報について、説明する。
【００４２】
上述したように、ファインダー内撮像素子１３９には、ハーフミラー１２１で反射された被写体光のうち一部が、焦点板１３１で拡散され、拡散された光が入射することとなる。そして、このようにハーフミラー１２１で反射された被写体光のうち一部を拡散させるために、焦点板１３１は、図１に示すように、第１の拡散層１３１ａおよび第２の拡散層１３１ｂから構成されている。
【００４３】
焦点板１３１を構成する第１の拡散層１３１ａは、所定の拡散係数を有する静的拡散層（拡散係数の変化しない層）である。第１の拡散層１３１ａとしては、所定の拡散係数を有する材料で構成すればよいが、たとえば、すりガラスなどで構成することができる。
【００４４】
一方、焦点板１３１を構成する第２の拡散層１３１ｂは、カメラ制御部１７０からの指令に基づき、その拡散係数が変化する動的拡散層（拡散係数の変化する層）であり、具体的には、カメラ制御部１７０からの指令に基づき、透明状態（拡散係数がゼロの状態または拡散係数が低い状態）から、拡散状態（拡散係数の高い状態）へと可逆的に変化する材料からなる層である。第２の拡散層１３１ｂとしては、このように拡散係数を変化させることが可能な材料で構成すればよいが、たとえば、電圧の印加により拡散係数が変化する高分子分散型液晶などで構成することができる。高分子分散型液晶は、ネマチック液晶を高分子中に分散させた高分子・液晶複合材料からなり、電界効果によって液晶の屈折率を変化させることにより、拡散係数が変化するものである。このような高分子分散型液晶は、電圧を印加した状態においては、透明状態となる一方で、電圧の印加を停止した場合あるいは印加電圧を低くした場合には、拡散状態へと変化するという性質を有している。
【００４５】
図２は、ライブビュー非表示モードが選択されている場合における、ファインダー内撮像素子１３９に入射する光について説明するための図である。図２においては、焦点板１３１、絞り１３７、結像レンズ１３８およびファインダー内撮像素子１３９を、それぞれの光学的な位置関係に基づいて示すものであり、図２中においては、透過型液晶表示器１３２、ペンタプリズム１３３、および三角プリズム１３６については図示を省略している。なお、図２においては、焦点板１３１に結像され、焦点板１３１により拡散される拡散光束のうち、点ＰＡにおいて結像される像に基づく拡散光束および点ＰＢにおいて結像される像に基づく拡散光束を示している。また、図２においては、操作部１５０を介して、撮影者によりライブビュー非表示モードが選択されているため、これにより、カメラ制御部１７０の指令に基づき、第２の拡散層１３１ｂが透明状態とされ、焦点板１３１による拡散角度がθ１となっている。
【００４６】
図２に示すように、ファインダー内撮像素子１３９は、観察光学系１３０の光軸外の位置に、焦点板１３１に対して、所定の角度で配置されている。
【００４７】
そして、図２に示すように、焦点板１３１に結像される像に基づく結像光束が、焦点板１３１により拡散角度θ１で拡散されることにより、点ＰＡにおいて結像される像に基づく拡散光束、および点ＰＢにおいて結像される像に基づく拡散光束は、それぞれ、絞り１３７、および結像レンズ１３８を通り、ファインダー内撮像素子１３９に入射することとなる。
【００４８】
なお、図２中において、点ＰＡは、焦点板１３１上の点のうち、中心に位置する点であり、また、点ＰＢは、焦点板１３１上の点のうち、絞り１３７の開口中心から最も遠い位置に位置する点である。また、図２中においては、点ＰＡにおいて結像される像に基づく拡散光束を鎖線で示し、点ＰＢにおいて結像される像に基づく拡散光束を二点鎖線で示している。そして、図２に示すように、点ＰＡにおいては、ファインダー内撮像素子１３９に入射する拡散光束の光量は十分であるが、その一方で、点ＰＢにおいては、ファインダー内撮像素子１３９に入射する拡散光束の光量は小さいものとなる。
【００４９】
一方、撮影者によりライブビュー表示モードが選択され、これにより、カメラ制御部１７０の指令に基づき、第２の拡散層１３１ｂが拡散状態とされた場合には、ファインダー内撮像素子１３９に入射する光は、図３に示すようになる。すなわち、図３においては、撮影者によりライブビュー表示モードが選択され、第２の拡散層１３１ｂが拡散状態とされることにより、焦点板１３１に結像される像に基づく拡散光束の拡散角度がθ１からθ２に変化する。そして、ライブビュー表示モードが選択されることにより、拡散角度がθ１からθ２に変化することにより、図３に示すように、絞り１３７の開口中心から最も遠い位置である点ＰＢにおいても、ファインダー内撮像素子１３９に入射する拡散光束の光量を十分な量とすることができ、結果として、ファインダー内撮像素子１３９に入射する被写体からの光の光量を、ライブビュー表示を行なうために十分なものとすることができる。
【００５０】
図４は、ライブビュー表示モードが選択されている場合における、拡散角度θ２について説明するための図である。本実施形態においては、ライブビュー表示モードが選択されている場合における、拡散角度θ２は、焦点板１３１上の点ＰＢと、絞り１３７の絞り端上の点ＰＣとがなす角度αに基づいて決定することが好ましく、具体的には、拡散角度θ２を、角度αとの関係で、θ２＞αとなるように設定することが好ましい。なお、絞り端上の点ＰＣは、絞り１３７の絞り端上の任意の点のうち、焦点板１３１上の点ＰＢから最も遠い場所に位置する点であり、そのため、絞り端上の点ＰＣと焦点板１３１上の点ＰＢとがなす角度αは、焦点板１３１上の任意の点と、絞り１３７の絞り端上の任意の点とがなす角度のうち、最も大きな角度を有するものとなる。
【００５１】
そして、ライブビュー表示モードにおいては、図３に示すように、拡散角度θ２で拡散された光を、ファインダー内撮像素子１３９が受光し、受光した光に基づき画像情報の取得が行なわれ、取得された画像情報はカメラ制御部１７０へ出力され、自動露出制御およびライブビュー表示制御に用いられることとなる。なお、ライブビュー表示モードにおいて、ファインダー内撮像素子１３９により画像情報の取得を行なう際には、自動露出制御用の画像情報（測光用の画像信号）、およびライブビュー表示用の画像情報を、同時に取得するような構成としてもよいし、あるいは、自動露出制御用の画像情報とライブビュー表示用の画像情報とを別々に取得するような構成（たとえば、自動露出制御用の画像情報と、ライブビュー表示用の画像情報とを、所定の周期で交互に取得するような構成）としてもよい。
【００５２】
一方、ライブビュー非表示モードにおいては、図２に示すように、拡散角度θ１で拡散された光を、ファインダー内撮像素子１３９が受光し、受光した光に基づき画像情報の取得が行なわれ、取得された画像情報はカメラ制御部１７０へ出力され、自動露出制御に用いられることとなる（すなわち、ライブビュー表示制御には用いられない）。
【００５３】
また、ライブビュー表示モードおよびライブビュー非表示モードいずれの場合においても、ミラー系１２０は観察位置（図１に示す実線の位置）に位置することとなるため、オートフォーカスモードが選択されている場合には、焦点検出モジュール１６１による、被写体光を用いた位相差検出方式による自動合焦制御が、ライブビュー表示モードおよびライブビュー非表示モードいずれの場合においても、実行されることとなる。
【００５４】
本実施形態によれば、ライブビュー表示モードが選択されている場合に、ファインダー内撮像素子１３９に、ライブビュー表示用の画像情報の取得を行なわせるものであり、そのため、比較的簡易な構成で、適切にライブビュー画像の撮影を可能とすることができる。特に、本実施形態体によれば、ファインダー内撮像素子１３９に、自動露出制御用の画像情報（測光用の画像信号）の取得とともに、ライブビュー表示用の画像情報の取得を行なわせるものであるため、従来の一眼レフデジタルカメラにも、比較的容易に適用することができるものである。
【００５５】
また、本実施形態によれば、ライブビュー表示用の画像情報の取得をファインダー内撮像素子１３９により行なうものであるため、ライブビュー表示中においても、焦点検出モジュール１６１による、被写体光を用いた位相差検出方式による自動合焦制御の実行を可能とすることができる。
【００５６】
加えて、本実施形態によれば、焦点板１３１に拡散係数を変化させることが可能な材料から構成される第２の拡散層１３１ｂを形成し、ファインダー内撮像素子１３９によりライブビュー表示用の画像情報の取得を行なわせる際には、第２の拡散層１３１ｂの拡散係数を大きくする制御を行うものであるため、ファインダー内撮像素子１３９に入射する被写体からの光の光量を、ライブビュー表示を行なうために十分なものとすることができる。また、ライブビュー表示モードが選択されている場合には、ファインダー内撮像素子１３９に入射する被写体からの光の光量が増加するため、自動露出制御の精度を向上させることも可能となる。そして、その一方で、本実施形態によれば、ライブビュー非表示モードが選択されている場合には、第２の拡散層１３１ｂの拡散係数を小さくする制御を行うものであるため、ライブビュー非表示モードが選択されている場合には、ファインダー１３５に導かれる光の光量を、撮影者が観察を行なうために十分な量とすることができる。すなわち、本実施形態によれば、第２の拡散層１３１ｂを形成し、これを制御することで、ファインダー１３５による被写体像の観察機能を良好に保ちながら、ライブビュー表示を良好に行なうことができるものである。
【００５７】
なお、以上説明した実施形態は、上記発明の理解を容易にするために記載されたものであって、上記発明を限定するために記載されたものではない。したがって、上記の実施形態に開示された各要素は、上記発明の技術的範囲に属する全ての設計変更や均等物をも含む趣旨である。
【符号の説明】
【００５８】
１…一眼レフデジタルカメラ
１００…カメラボディ
１１０…撮像素子
１３１…焦点板
１３１ａ…第１の拡散層
１３１ｂ…第２の拡散層
１３７…絞り
１３８…結像レンズ
１３９…ファインダー内撮像素子
１４０…表示部
１６１…焦点検出モジュール
１７０…カメラ制御部
２００…レンズ鏡筒
２１２…フォーカスレンズ
【図１】
2011082872.tif 000003
【図２】
2011082872.tif 000004
【図３】
2011082872.tif 000005
【図４】
2011082872.tif 000006